(57)【特許請求の範囲】
【請求項１】
商用電力を蓄え、その電力を負荷機器に供給する蓄電池を備える住宅の電力貯蔵システムであって、
前記住宅は、外面パネルと、これと間隔をおいた内面パネルとを有する外壁パネルを備えると共に、該外壁パネルの室内側に全面に断熱部材が張設され、
前記蓄電池は、前記外面パネルと前記内面パネルの間に設置され、
前記外壁パネルには、下部通気口及び上部通気口が設けられていることを特徴とする住宅の電力貯蔵システム。
【請求項２】
前記下部通気口及び上部通気口は、前記外面パネルに設けられており、前記下部通気口及び上部通気口には、外気が導入されることを特徴とする請求項１記載の住宅の電力貯蔵システム。
【請求項３】
前記住宅は、前記上部通気口の上方に庇を有することを特徴とする請求項１又は２に記載の住宅の電力貯蔵システム。
【請求項４】
商用電力を蓄え、その電力を負荷機器に供給する蓄電池を備える住宅の電力貯蔵システムであって、
前記住宅は、外面パネルと、これと間隔をおいた内面パネルとを有する外壁パネルを備え、
前記蓄電池は、前記外面パネルと前記内面パネルとの間の空間に設置され、
前記外壁パネルは、前記蓄電池の設置されない空間に断熱部材が張設され、
前記住宅は、前記蓄電池が設置される空間と前記断熱部材が張設される空間を通して通気路が形成されることを特徴とする住宅の電力貯蔵システム。
【発明の詳細な説明】
【０００１】
【発明の属する技術分野】
本発明は、商用電力を蓄電する蓄電池を設置するスペースを改善した電力貯蔵システムに関するものである。
【０００２】
【従来の技術】
近年、産業界の分野において、作業環境の快適化、生産部門における自動化、省力化、事務部門における各種情報機器の増加などで使用される装置や機器類の増加に伴って電力の使用量は大きく伸びている。一方、一般家庭においても、ホームエレクトロニクス化、自動化、省力化などの快適な住環境の整備がなされるにつれて、家庭内においても多くのＡＶ機器・情報機器の利用、照明設備、大型冷蔵庫、全自動洗濯機、乾燥機、冷暖房機器の利用等が進み、これに伴って一般家庭における電力の使用量も大きく伸びている。
【０００３】
この増大する電力需要に対応するため、電力を供給する電力会社では、特に、夏場の晴天時の各事業所での生産設備や冷房設備等のフル稼働や、一般家庭での冷房設備のフル稼働されるいわゆる電力需要のピーク時には、発電設備をフル稼働させてこれに対応している。このように、電力を供給する電力会社には電力需要のピーク時に合わせた大規模な設備を備えることが要求されているが、発電所の立地条件の問題や環境問題などの面から多くの制約条件があり、これ以上、増大する電力需要のピーク時に合わせて電力を生産する設備を備えて、増大する電力需要に応えることは最早困難になっている。
【０００４】
このため、産業界では、割安な商用の夜間電力を利用するために作業時間のシフトや、割安な商用の夜間電力を利用した蓄熱や蓄電による冷暖房設備の利用、電力エネルギーの有効利用や効率化などの省エネルギー対策を講じており、一般家庭においても、電力消費の少ない電気機器の使用など省エネルギーの対策と共に、割安な商用の夜間電力の利用、特に、この割安な商用の夜間電力を大容量の蓄電池を利用して蓄え、この蓄電池に蓄えられた電力を割高な昼間電力の時間帯に利用して、電力料金の低減を図っている。
【０００５】
このような分散型電力貯蔵システムによって、夜間の割安な電力を蓄電池に蓄え、この蓄えられた電力を昼間の電力需要のピーク時に使用することは、消費者側にとって、電力料金の低減につながると共に、電力を供給する電力会社にとっても、昼間の電力需要のピーク時に合わせた過大な設備を備える必要のないことから、昼夜間での電力需要の分散化が行われることになり電力負荷平準化の一役を担うことができる。
【０００６】
この大容量の蓄電池を使用し、これに夜間の割安な商用電力を蓄え、これを昼間に使用するようにした住宅用の分散型電力貯蔵システムの一例として、住宅内に電力を蓄える多くの蓄電池を収納するため、下階から上階に至る階段と住宅の外壁並びに側壁とにより構成される空間を適宜の隔壁により仕切り、蓄電池の収納スペースを形成し、このスペースに蓄電池を収納した住宅用の電力貯蔵システムが知られている（特開昭６１−１９０２２６号公報参照）。
【０００７】
【発明が解決しようとする課題】
上述した従来公知の住宅用の電力貯蔵システムでは、蓄電池の収納スペースとして階段下のスペースを利用しているが、近年の住宅事情では、限られたスペースの中で居住のための空間を広く採る必要性から従来の押入などの収納スペースを確保するのがなかなか難しく、このため、従来の押入に替わって階段下のスペースを納戸などの収納スペースとして利用している場合が多い。
【０００８】
しかしながら、この階段下のスペースを蓄電池の収納スペースとして利用するには、他に物置としての収納スペースを確保することは容易でないこと、また本来、階段下のスペースは蓄電池の収納スペースとして利用することは考慮されていないので、ここに収納される大量で大型の蓄電池、特に最近研究が進められている大型のリチウム二次電池などは発熱もあって、いかにこれを放熱や冷却をするかが大切であり、また、鉛蓄電池においても、充電による発熱のための冷却や、漏出する希硫酸ガスや充電により水素ガスが発生することなどから、階段下の蓄電池の収納スペース内を絶えず換気して効率よく冷却すると共にこれらのガスを速やかに排出する必要がある。このため、住宅の外壁や床などに新たな換気のための通気口を設けなければならず、住宅の新築時ならともかく既存の住宅の外壁や床に新たに開口部を設けることはなかなか難しい。
【０００９】
そこで本発明は、上記課題によりなされたもので、従来未利用であった住宅の外壁と内壁の間の空間を有効に活用する電力貯蔵システムを提供することを目的とするものである。
【００１０】
【課題を解決するための手段】
本発明の住宅の電力貯蔵システムは、商用電力を蓄え、その電力を負荷機器に供給する蓄電池を備える住宅の電力貯蔵システムであって、前記住宅は、外面パネルと、これと間隔をおいた内面パネルとを有する外壁パネルを備えると共に、該外壁パネルの室内側に全面に断熱部材が張設されており、前記蓄電池は、住宅の前記外面パネルと前記内面パネルの間に設置されており、前記外壁パネルには、下部通気口及び上部通気口が設けられているものである。
【００１１】
また、前記下部通気口及び上部通気口は、前記外面パネルに設けられており、前記下部通気口及び上部通気口には、外気が導入されることで、蓄電池の放熱や冷却及び発生するガスの除去のための換気が行われる。
さらに、本発明は、住宅の電力貯蔵システムであって、前記住宅は、前記上部通気口の上方に庇を有するものである。
また、本発明は、商用電力を蓄え、その電力を負荷機器に供給する蓄電池を備える住宅の電力貯蔵システムであって、前記住宅は、外面パネルと、これと間隔をおいた内面パネルとを有する外壁パネルを備え、前記蓄電池は、前記住宅の前記外面パネルと前記内面パネルとの間の空間に設置されており、前記外壁パネルは、前記蓄電池の設置されない空間に断熱部材が張設されており、前記住宅は、前記蓄電池が設置される空間と前記断熱部材が調節される空間を通して通気路が形成されるものである。
【００１２】
【発明の実施の形態】
以下、本発明の電力貯蔵システムを図面に基づいて説明する。図１は、本発明の電力貯蔵システムの概略側面図、図２は、電力貯蔵システムの結線の概略図、図３は、電力貯蔵システムの別の結線の概略図である。
図１及び図２に示すように、商用の電力系統１からの電力は、電力計２を経て住宅に入り、直接住宅内の分電盤６を経て住宅内のコンセント７に向かう系統と、電力計２から系統切換装置３に接続され、この系統切換装置３から双方向インバータ４を経て蓄電池５へ向かう系統との２系統に配電されている。そして、この系統切換装置３の内部には、第１スイッチ８、第２スイッチ９、逆流防止のためのダイオード１０、制御部１１が設けられている。
【００１３】
この第１スイッチ８は、ＯＮ時に商用の電力系統１からの交流電流を直流電流に変換する双方向インバータ４を経て電力を蓄電池５に給電するように接続されている。一方、この蓄電池５に蓄えられた直流電流は、双方向インバータ４で交流電流に変換され、第２スイッチ９、逆流防止のためのダイオード１０を経て住宅内の電源コンセント７に給電されるように接続されている。
【００１４】
制御部１１は、安価な夜間電力を利用するために、第１スイッチ８と第２スイッチ９の切換えと、双方向インバータ４の運転を制御すると共に、蓄電池５の充電状態や発熱の状態の監視及び作動すべき夜間電力時間帯を制御している。このため、制御部１１は時間を測定するタイマー機能も有する。
【００１５】
次に、電力系統の動作について図２で説明すると、割安な夜間電力時間帯には、制御部１１は第１スイッチ８をＯＮにして、商用電力系統１からの交流電流を分電盤６を経て住宅内のコンセント７に通電するとともに、商用電力系統１からの交流電流をＯＮの状態にある第１スイッチ８を経て双方向インバータ４によって直流電流に変換して蓄電池５を充電する。蓄電池５が十分充電されたことを制御部１１が検知すると、制御部１１は第１スイッチ８をＯＦＦに切換えて蓄電池５への通電を止めるよう制御する。また、蓄電池５が充分な充電状態にないときには、制御部１１は第１スイッチ８をＯＮの状態に切換えて蓄電池５を充電する。
【００１６】
次に、夜間電力時間帯以外には、第１スイッチ８は制御部１１によってＯＦＦにされる。コンセント７には、通常の商用電力系統１からの交流電流が給電されているが、各電気器具の同時使用や大量使用で電力需要が多い場合には、自動又は手動によって第２スイッチ９をＯＮにすると、夜間電力時間帯に充電されている蓄電池５からの直流電流を、双方向インバータ４により交流電流に変換してＯＮの状態にある第１スイッチ９、ダイオード１０、分電盤６を経て住宅内の電源コンセント７に給電されて、各電気機器を使用することができる。
【００１７】
そして、制御部１１が蓄電池５の容量が下限値にまで低下したことを検知した時、又は、住宅内における電力需要が少なくなったときには、制御部１１は、第２スイッチ９をＯＦＦに切り換えて、蓄電池５から住宅内の電源コンセント７への電力の給電を停止する。このように蓄電池５からの電力の給電が停止しても、住宅内の電源コンセント７には通常通り商用電力系統１からの交流電流が給電されているので、この商用電力系統１からの交流電流を使用することができる。なお、使用する電気器具によっては、図３に示すように、電気器具を使用するコンセント７への電力源を、商用電力からの系統と蓄電池５からの２系統にして使い分けるようにしてもよい。
【００１８】
図４は、本発明の第１の実施の形態を示す正面図、図５は、その断面図である。１２は建物の基礎部で、この建物の基礎部１２には適当な間隔で床下換気口１２１が設けられており、建物の床下の空間部３８と建物の外側とを連通して建物の床下の空間部３８に外気を取り入れ、建物の床下の空間部内の湿気を含む空気を外気で換気し、建物の床下が湿気によって朽ちるのを防止している。
【００１９】
１３は、外面パネル１３１に適当間隔をおいて設けられた内面パネル１３２と、左右２辺を囲む枠材１６とからなる内部に空間１９を有する外壁パネルで、外壁パネル１３の上部と下部は、それぞれ外面パネル１３１が梁材１５、土台１４に取付けられて、建物の基礎部１２の土台１４とその上方の梁材１５との間に所要数の外壁パネル１３が並設置されて、建物の壁部を構成するとともに、この建物の壁部の上方には屋根１７が設けられている。
【００２０】
床構造体２１の下には合成樹脂発泡板やガラスウール材などの断熱部材２３が、張設されており、２２は天井である。１８は建物の軒に設けられた軒下換気口で、建物外部と屋根裏３９と連通しており、屋根裏３９の太陽の日射により暖められた空気を建物の外に自然の通気力によって排出する。また、自然の通気力があまり強くない場合には、この軒下換気口１８に換気扇を取付けて機械力による換気を行うことも可能である。
【００２１】
内部空間１９を有する外壁パネル１３の上部と下部には、屋根裏３９と連通する梁材１５と内面パネル１３２との間隙２４と、床下の空間部３８と連通する土台１４と内面パネル１３２との間隙２５とが設けられている。したがって、床下の空間部３８と外壁パネル１３の内部空間１９と屋根裏３９とは、梁材１５と内面パネル１３２との間隙２４と、土台１４と内面パネル１３２との間隙２５とを通じて連通されている。
【００２２】
またさらに、床下の空間部３８は、建物の基礎部１２に設けられた床下換気口１２１を通して外気と、屋根裏３９は、軒下換気口１８を通して外気とそれぞれ連なっていることから、床下や地面に近い部分の比較的冷たい空気が、外部−床下換気口１２１−床下空間部３８−土台１４と内面パネル１３２との間隙２５−外壁パネル１３の内部空間１９−梁材１５と内面パネル１３２との間隙２４−屋根裏３９−軒下換気口１８−外部とに亘る通気路が形成されて流れることになる。
【００２３】
そして、この外壁パネル１３を構成する内面パネル１３２の内部空間１９側には、必要な容量となるように薄型で容量の大きな蓄電池５が互いに間隔を置いて接着手段、又はネジや填め込み、載置部材等の機械的手段によって多数並べて設置されている。なお、２３は断熱部材である。
【００２４】
しかし、この外壁パネル１３の内部空間１９に多数設置された蓄電池５は、日射などによる外面パネル１３１の温度上昇からの保護と、蓄電池５自体の発する熱の冷却や発生するガスを除去するために通気による放熱や換気が必要であるが、前述したように外壁パネル１３の内部空間１９には、通気路が形成されて比較的冷たい空気が流れていることから、この通気路を流れる比較的冷たい空気によって、蓄電池５から発する熱と発生ガスは共に前述の通気路を通って外部に排出される。
【００２５】
さらに、外壁パネル１３には、外壁パネル１３の内部空間１９に収納設置された蓄電池５の寿命の時や補修などの交換作業やメンテ作業を行うために、外壁パネル１３の外面パネル１３１に設けた開口部に点検用扉２０を取付けてあり、蓄電池５の交換作業やメンテ作業の際には、この点検用扉２０を開けて外壁パネル１３の内部空間１９に収納されている蓄電池５を取り出して交換又はメンテ作業を簡単に行うことができる。
【００２６】
図６は、本発明の第２の実施の形態を示す斜視図である。外壁パネル１３は、内外面パネルが適当間隔をおいて設けられ、その上下左右の４辺を囲む枠材１６とからなる内部に空間１９を有する外壁パネルで、内外面パネルの一方のパネルを取り去って内部構造が理解し易いようにしたものであって、内外面のパネルの上下左右の４辺を囲む枠材１６うちの上部の枠材１６と下部の枠材１６とには、それぞれ通気口１６１、１６１、１６２、１６２、１６２が形成されている。
【００２７】
また、内外面のパネルの左右の２辺を囲む枠材１６、１６間には、枠材１６より幅狭の中仕切材２６と側部に通気用の切欠き部を有する中仕切材２７とが設けられており、そのうちの下方に位置する中仕切材２６の上面に、必要な容量となるように薄型で容量の大きな蓄電池５が載置されている。そして、下方に位置する中仕切材２６と下方の枠材１６とに挟まれる空間、及び上方に位置する中仕切材２７と上方の枠材１６とに挟まれる空間には、断熱部材２３、２３が充填されている。
【００２８】
この外壁パネル１３を、建物の基礎部１２の土台１４とその上方の梁材１５との間に所要数並設置して、建物の壁部を構成する。そして、この際、外壁パネル１３の下部の枠材１６に設けた通気口１６２は、床構造体２１に設けられている開口と連通するようにして取付けられており、また、外壁パネル１３の上部の枠材１６に設けた通気口１６１は、天井構造体２２に設けられている開口と連通するようにして取付けられている。
【００２９】
外壁パネル１３の下部の枠材１６の通気口１６２から入った空気は、下方の断熱部材２３が充填されている部分−枠材１６より幅狭の中仕切材２６と内外面パネルとの間隙−蓄電池５を設置した空間部−側部に通気用の切欠き部を有する中仕切材２７−上方の断熱部材２３が充填されている部分を経て外壁パネル１３の上部の枠材１６の通気口１６１から出て、屋根裏３９に流れるようになっている。
【００３０】
このように土台１４と梁材１５間に並設置された外壁パネル１３は、床下の空間部３８と外壁パネル１３の内部空間１９と屋根裏３９とが、下方の通気口１６２と上方の通気口１６１とを通じて連通されているので、床下や地面に近い部分の比較的冷たい空気が、外部−床下換気口１２１−床下空間部３８−外壁パネルの下方の通気口１６２−下方の断熱部材２３の充填部分−枠材１６より幅狭の中仕切材２６と内外面パネルとの間隙−蓄電池５の設置空間部−側部に通気用の切欠き部を有する中仕切材２７−上方の断熱部材２３の充填部分−外壁パネルの上方の通気口１６１−屋根裏３９−軒下換気口１８−外部とに亘る通気路が形成されて流れるようになっている。
【００３１】
そして、この外壁パネル１３の内部空間１９の幅狭の中仕切材２６の上に載置された薄型で容量の大きな蓄電池５は、日射などによる外面パネル１３１の温度上昇からの保護と、蓄電池５自体の発する熱の冷却や発生するガスを除去するために通気による放熱や換気が必要であるが、前述したように外壁パネル１３の内部空間１９には、通気路が形成されて比較的冷たい空気が流れていることから、この通気路を流れる比較的冷たい空気によって、蓄電池５から発する熱と発生ガスは共に前述の通気路を通って外部に排出される。
【００３２】
さらに、外壁パネル１３には、外壁パネル１３の内部空間１９に収納設置された蓄電池５の寿命の時や補修などの交換作業やメンテ作業を行うために、前記図４の外壁パネル１３と同様、外壁パネル１３の外面パネル１３１に設けた開口部に点検用扉２０を取付けてあり、蓄電池５の交換作業やメンテ作業の際には、この点検用扉２０を開けて外壁パネル１３の内部空間１９に収納されている蓄電池５を取り出して交換又はメンテ作業を簡単に行うことができる。
【００３３】
図７は、本発明の第３の実施の形態を示す正面図、図８は、そのイ−イ線での断面図である。外壁パネル１３は、内外面パネルが適当間隔をおいて設けられ、その左右の２辺を囲む枠材１６、１６とからなる内部に空間１９を有する外壁パネルで、内外面パネルの一方のパネルを取り去って内部構造が理解し易いようにしたものであって、内外面のパネルの左右の２辺を囲む枠材１６、１６間には、中仕切材２８、２８が設けられており、そのうちの下方に位置する中仕切材２８の上面には、必要な容量の薄型で容量の大きな蓄電池５が載置されている。そして、下方に位置する中仕切材２８と土台１４とに挟まれる空間、及び上方に位置する中仕切材２８と梁材１５とに挟まれる空間には、断熱部材２３、２３が充填されている。
【００３４】
また、下方に位置する中仕切材２８と土台１４とに挟まれる部分には、蓄電池５を収納した空間と床下の空間部３８とを連通するように通気用のパイプ部材２９が、同様に、上方に位置する中仕切材と梁材１５とに挟まれる部分には、蓄電池５を収納した空間と屋根裏３９とを連通するように通気用のパイプ部材２９が、それぞれ設けられている。
そして、床下の空間部３８と連通する通気用のパイプ部材２９から入った空気は、蓄電池５を設置した空間部、屋根裏３９と連通する通気用のパイプ部材２９とを経て屋根裏３９に流れ、軒下換気口１８から建物の外に流れるようになっている。
【００３５】
このように土台１４と梁材１５間に並設置された外壁パネル１３は、床下の空間部３８と外壁パネル１３の内部空間１９と屋根裏３９とが、通気用のパイプ部材２９と蓄電池５の設置空間部と通気用のパイプ部材２９とを経て連通されているので、床下や地面に近い部分の比較的冷たい空気が、外部−床下換気口１２１−床下空間部３８−下方の通気用のパイプ部材２９−蓄電池５の設置空間部−上方の通気用のパイプ部材２９−屋根裏３９−軒下換気口１８−外部とに亘る通気路が形成されて流れるようになっている。
【００３６】
そして、この外壁パネル１３の蓄電池５の設置空間部に収納された蓄電池５は、日射などによる外面パネル１３１の温度上昇からの保護と、蓄電池５自体の発する熱の冷却や発生するガスを除去するために通気による放熱や換気が必要であるが、前述したように外壁パネル１３の内部空間１９には、通気路が形成されて比較的冷たい空気が流れていることから、この通気路を流れる比較的冷たい空気によって、蓄電池５から発する熱と発生ガスは共に前述の通気路を通って外部に排出される。
【００３７】
さらに、外壁パネル１３には、外壁パネル１３の内部空間１９に収納設置された蓄電池５の寿命の時や補修などの交換作業やメンテ作業を行うために、前記外壁パネル１３と同様に、外壁パネル１３の外面パネル１３１に設けた開口部に点検用扉２０を取付けてあり、蓄電池５の交換作業やメンテ作業の際には、この点検用扉２０を開けて外壁パネル１３の内部空間１９に収納されている蓄電池５を取り出して交換又はメンテ作業を簡単に行うことができる。
【００３８】
図９は、本発明の第４の実施の形態を示す正面図、図１０は、そのロ−ロ線での断面図である。外壁パネル１３は、外面パネル１３１と間隔をおいた内面パネル１３２と、これらのパネル１３１、１３２の上下左右の４辺を囲む枠材１６とからなる内部に空間１９を有し、内面パネル１３２の室内側には断熱部材２３が張設され、さらにその室内側には壁面仕上げ材３３が張設され、この壁面仕上げ材３３に双方向インバータ４が取付けられている。住宅の基礎部１２の土台１４と上部の梁材１５との間に所要枚数の外壁パネル１３が並設置される。
【００３９】
そして、この外壁パネル１３を構成する内面パネル１３２の内部空間１９側の面には、必要な容量となる薄型で容量の大きな蓄電池５が間隔を置いて接着手段、又はネジや填め込み等の機械的手段によって多数並べて設置されている。また、内面パネル１３２に設置された薄型で容量の大きな蓄電池５の表面と外壁パネル１３の外面パネル１３１の内部空間側の面とは、日射による外面パネル１３１の温度上昇からの保護と、蓄電池５の冷却や発生するガスを除去するために通気による放熱や換気が必要であることから、適当な間隔を隔てて設置されて換気のための通気路が形成されている。
【００４０】
この蓄電池５が収納設置される外壁パネル１３の外面パネル１３１の下方部及び上方部には、下部通気口３１及び上部通気口３２が設けられており、床下や地面に近い部分の比較的冷たい空気が、この下部通気口３１からパネル内部空間１９内の通気路を通り上部通気口３２に連通する通気路が形成され、この通気路と下部通気口３１及び上部通気口３２とによってパネルの内部の蓄電池５の放熱や冷却及び発生するガスの除去のための換気が行われる。
【００４１】
このように、この外壁パネル１３の内部空間の上部と下部に通気口３２、３１をそれぞれ設けることにより、外壁パネル１３には、パネル下部の通気口３１−パネル内部空間１９−パネル上部通気口３２と、通気のための新たな設備を付加しなくても外気による自然通気によって空気が流れるので、風通しがよく、この外気の自然通気力を利用することによって外壁パネル１３内の空間に収納設置されている蓄電池の放熱や冷却及び発生するガスの排出を効率よく行うことができる。なお、通気性をよりよくするために制御部１１と連動させ、制御部１１が収納された蓄電池５の温度上昇を感知したときにのみ作動するファンを設置してもよい。また、この通気口３１、３２に雨などが入り込まないように通気口の上に庇（ひさし）３０を付けている。
【００４２】
３０は庇で、図９及び１０では建物の下階部分と上階部分との間に設けられており、床構造体２１の上面は床仕上げ材３４で仕上げられており、床構造体２１の下には合成樹脂発泡板やガラスウール材などの断熱部材２３が敷き詰められている。外壁パネル１３の内面パネル１３２の室内側には、上記と同様の断熱部材２３が全面に張り付けられており、さらにその室内側は壁面内装の仕上げ材３３で内装されている。壁面内装の仕上げ材３３の室内側には、系統切換装置３、双方向インバータ４、分電盤６等が取付けられ、室内からこれらの機器のメンテ作業を行うことができるようになっている。また、天井構造体２２には、天井下地材に天井仕上げ材３５が張設されている。
【００４３】
なお、蓄電池５を収納設置した外壁パネル１３の設置場所として、電力計２の設置場所又は住宅内の分電盤６の近辺に設置することにより、配線などが短くできると共に簡単に施工でき、また、日射の当たる南面や西面の壁よりも北面又は東面の壁に設置すると蓄電池５が太陽熱によって暖められることがないので、蓄電池５の劣化を防ぐことができる。
【００４４】
図１１は、本発明の第５の実施の形態を示す斜視図、図１２は、その外面パネル３６を取外した図である。本実施の形態は、外壁パネルの内部空間に収納設置する蓄電池５の量が比較的少ない小規模の電力貯蔵システムを構築する際に適する。外壁パネル１３の外面パネル１３１が上下に２分割されている。外壁パネル１３の下部の内部空間１９に需要に応じた量の蓄電池５を収納設置する。３６は上下２分割式の外面パネル、３７は外壁パネルに外面パネル３６を取付けるためのネジである。この上下２分割式の外面パネル３６を有する外壁パネルの住宅への組込み施工は、外壁パネル１３と同様に施工され、電力系統についても同様である。
【００４５】
なお、本発明は上記実施の形態に限定されるものではない。
上記屋根裏は、それが２階建て以上の場合には天井裏であってもよい。この意味で特許請求の範囲の「天井裏」は屋根裏と天井裏の総称として用いている。天井裏はやや広い空間であるので、いくらかは換気の機能がある。
【００４６】
【発明の効果】
以上説明したように、本発明の外壁パネル内の空間に蓄電池を収納した住宅用電力貯蔵システムは、下記のような効果を奏する。
１．他に蓄電池を収納設置するための特別の設置スペースを設けなくとも、従来未利用のスペースを蓄電池の設置場所として有効に活用できるので、敷地が狭い住宅でも、必要な居住空間を少しも狭めることなく多くの蓄電池を収納設置するための場所を確保することができる。
２．蓄電池のメンテ作業や交換作業は、外壁パネルの外面パネルに設けた点検用扉の開閉や外壁パネルの外面パネルを取り外すこと等により住宅の外部から簡単で容易に作業することができる。
【００４７】
３．外壁パネルの上部と下部に通気口を設けることで、外壁パネルの内部空間に、通気のための新たな設備を付加しなくても外気による自然通気によって空気が流れて、風通しがよく、この外気の自然通気力を利用することによって外壁パネル内に収納設置されている蓄電池の放熱や冷却及び発生するガスの排出を効率よく行うことができる。
４．外壁パネルは、住宅の標準的なモジュールに大きさを合わせて作成することができるので、汎用性があり、新築住宅や既存の住宅にも、必要容量分の蓄電池を収納設置すべき面積に相当する枚数分の外壁パネルを使用することができる。
５．夜間の割安な深夜電力を利用できるので、消費者にとって、電気料が安くなると共に、電力の供給者にとっても、電力使用の最大ピーク時に合わせた設備を持つ必要がなく、電力負荷の平準化を図ることができる。
【図面の簡単な説明】
【図１】本発明の電力貯蔵システムの概略側面図である。
【図２】電力貯蔵システムの結線の概略図である。
【図３】電力貯蔵システムの別の結線の概略図である。
【図４】本発明の第１の実施の形態を示す正面図である。
【図５】図４の断面図である。
【図６】本発明の第２の実施の形態を示す斜視図である。
【図７】本発明の第３の実施の形態を示す正面図である。
【図８】図７のイ−イ線での断面図である。
【図９】本発明の第４の実施の形態を示す正面図である。
【図１０】図９のロ−ロ線での断面図である。
【図１１】本発明の第５の実施の形態を示す斜視図である。
【図１２】図１１において下方の外面パネルを取外した図である。
【符号の説明】
１    商用電力
２    電力計
３    系統切換装置
４    双方向インバータ
５    蓄電池
６    分電盤
７    コンセント
８    第１スイッチ
９    第２スイッチ
１０  ダイオード
１１  制御部
１２  建物の基礎部
１２１  床下換気口
１３  外壁パネル
１３１  外面パネル
１３２  内面パネル
１４  土台
１５  梁材
１６  枠材
１６１  通気口
１６２  通気口
１７  屋根
１８  軒下換気口
１９  内部空間
２０  点検用扉
２１  床構造体
２２  天井構造体
２３  断熱部材
２６  幅狭の中仕切材
２７  側部に通気用の切欠き部を有する中仕切材
２８  中仕切材
２９  通気用パイプ部材
３０  庇
３１  パネル下方通気口
３２  パネル上方通気口
３３  壁面仕上げ材
３４  床仕上げ材
３５  天井仕上げ材
３６  外面パネル
３７  ネジ
３８  床下の空間部
３９  屋根裏
【図１】
0004216948.tif 000002
【図２】
0004216948.tif 000003
【図３】
0004216948.tif 000004
【図４】
0004216948.tif 000005
【図５】
0004216948.tif 000006
【図６】
0004216948.tif 000007
【図７】
0004216948.tif 000008
【図８】
0004216948.tif 000009
【図９】
0004216948.tif 000010
【図１０】
0004216948.tif 000011
【図１１】
0004216948.tif 000012
【図１２】
0004216948.tif 000013